(57)【要約】【課題】ディスクドライブ装置垂直使用時の安定したディスク排出動作を、より簡素な構造で達成できること。【解決手段】ディスク状記録媒体１にディスクドライブ装置本体に対してローディング及びイジェクトするディスクトレイ１０を備え、ディスクトレイ１０にはディスク状記録媒体１が載置されるほぼ円形状の凹所１１が形成され、凹所１１はディスク状記録媒体１より大きく形成され、ディスク状記録媒体１が凹所１１の一方に片寄った状態ではディスク状記録媒体１は凹所１１内に規制されるように突起１２、１３、１４、１５が配置され、ディスク状記録媒体１の記録面が垂直となるようにディスクドライブ装置本体を立てて使用でき、ディスクドライブ装置本体内のスピンドルモータに対するチャッキング解除動作の終了に先だって、イジェクト動作を開始してディスクトレイ１０を動作させるディスクドライブ装置のイジェクト時におけるディスク状記録媒体の脱落防止制御方法。【選択図】        図３
2007026570.tif 000002
【特許請求の範囲】
【請求項１】
ディスク状記録媒体をディスクドライブ装置本体に対してローディング及びイジェクトするディスクトレイを備え、前記ディスクトレイには前記ディスク状記録媒体が載置されるほぼ円形状の凹所が形成され、前記凹所は前記ディスク状記録媒体より大きく形成され、前記ディスク状記録媒体が前記凹所の一方に片寄った状態では前記ディスク状記録媒体は前記凹所内に規制されるように突起が配置され、前記ディスク状記録媒体の記録面が垂直となるように前記ディスクドライブ装置本体を立てて使用できるディスクドライブ装置のイジェクト時におけるディスク状記録媒体の脱落防止制御方法であって、前記ディスクドライブ装置本体内のスピンドルモータに対するチャッキング解除動作の終了に先だって、イジェクト動作を開始して前記ディスクトレイを動作させることを特徴とするディスクドライブ装置のイジェクト時におけるディスク状記録媒体の脱落防止制御方法。
【請求項２】
前記チャッキング解除動作の終了を、前記ディスクトレイの動作開始から前記ディスク状記録媒体が前記凹所の一方に当接するまでの間に行うことを特徴とする請求項１に記載のディスクドライブ装置のイジェクト時におけるディスク状記録媒体の脱落防止制御方法。
【請求項３】
前記突起が、前記ディスクトレイの前端側に設けた第１の突起と、前記ディスクトレイの後端側に設けた第２の突起とで構成され、前記ディスク状記録媒体が前記凹所の一方に片寄った状態では前記ディスク状記録媒体は前記第１の突起によって前記凹所内に規制され、前記ディスク状記録媒体が前記凹所の他方に片寄った状態では前記ディスク状記録媒体は前記第２の突起によって規制されないことを特徴とする請求項１に記載のディスクドライブ装置のイジェクト時におけるディスク状記録媒体の脱落防止制御方法。
【発明の詳細な説明】
【技術分野】
【０００１】
本発明は、ＣＤやＤＶＤ等の光ディスクの記録及び／又は再生を行うディスクドライブ装置に関し、特に、ディスクドライブ装置の垂直使用時において、光ディスク等をスピンドルモータに対するチャッキング解除をする際に、光ディスク等がディスクトレイの凹所外へ脱落することを防止するディスクドライブ装置のイジェクト時におけるディスク状記録媒体の脱落防止制御方法に関する。
【背景技術】
【０００２】
従来から、トレイ方式の光ディスクドライブ装置は、ディスクトレイに形成されたほぼ円形状の凹所内に光ディスクを載置し、そのディスクトレイによって光ディスクを光ディスクドライブ装置本体内にローディングした後、スピンドルモータ及び光学ピックアップが搭載された光学ピックアップユニットを下降位置から上昇位置へ駆動し、光ディスクをスピンドルモータにチャッキングする。そして、この後に、光学ピックアップによって光ディスクに対するデータの記録及び／又は再生を行うように構成されている。
ところで、この種の光ディスクドライブ装置では、ディスクトレイの上面で、凹所の外周位置に間隔を隔てて一体成形した複数の小突起を、その凹所の外周縁より内側の上部位置に配置し、これら複数の小突起の内側端を光ディスクの直径より少し大きく形成することによって、この光ディスクドライブ装置本体を垂直に立てて使用することを可能にしている。即ち、この垂直使用時には、光ディスクドライブ装置本体とともにディスクトレイも垂直となり、凹所は横向きになるが、光ディスクを複数の小突起の内側を通すようにして垂直姿勢状態で横方向から凹所内に挿入して、下方へ少しずらせると、その複数の小突起で光ディスクを凹所内にほぼ垂直姿勢状態に保持することができる。従って、光ディスクをディスクトレイの凹所内にほぼ垂直姿勢状態に保持して光ディスクドライブ装置本体内にローディング及びイジェクトすることができる。
しかし、光ディスクドライブ装置の垂直使用時で、光ディスクドライブ装置本体内にほぼ垂直姿勢状態でローディングされた光ディスクに対してスピンドルモータを横方向へチャッキング解除する際に、光ディスクがディスクトレイの凹所の外周の複数の小突起の内周間をすり抜けてその凹所外へ押し出されて脱落してしまうことがある。そして、光ディスクが一度凹所外へ脱落すると、その光ディスクを光ディスクドライブ装置外へ取り出すことが困難となる。また、光ディスクの脱落によって、光ディスクが傷つけられて使用不能となる場合もある。
そこで、従来から、光ディスクがディスクトレイの凹所の外周の複数の小突起の内周間をすり抜けてその凹所外へ押し出されて脱落するのを防止する脱落防止部を備えることがあった（例えば、特許文献１参照）。
【特許文献１】特開２００２−１０００９７号公報
【発明の開示】
【発明が解決しようとする課題】
【０００３】
しかしながら、従来の構成では、前部、後部それぞれの小突起に対して脱落防止部を備える必要があったので、構造が複雑になり、また、脱落防止部を備える場所を多く確保する必要がある。また、確実な脱落防止部を配置することによって、ディスクの装脱着が困難となる。
【０００４】
そこで本発明は、ディスクドライブ装置垂直使用時の安定したディスク排出動作を、より簡素な構造で達成できることを目的とする。
【課題を解決するための手段】
【０００５】
請求項１記載の本発明のディスクドライブ装置のイジェクト時におけるディスク状記録媒体の脱落防止制御方法は、ディスク状記録媒体をディスクドライブ装置本体に対してローディング及びイジェクトするディスクトレイを備え、前記ディスクトレイには前記ディスク状記録媒体が載置されるほぼ円形状の凹所が形成され、前記凹所は前記ディスク状記録媒体より大きく形成され、前記ディスク状記録媒体が前記凹所の一方に片寄った状態では前記ディスク状記録媒体は前記凹所内に規制されるように突起が配置され、前記ディスク状記録媒体の記録面が垂直となるように前記ディスクドライブ装置本体を立てて使用できるディスクドライブ装置のイジェクト時におけるディスク状記録媒体の脱落防止制御方法であって、前記ディスクドライブ装置本体内のスピンドルモータに対するチャッキング解除動作の終了に先だって、イジェクト動作を開始して前記ディスクトレイを動作させることを特徴とする。
請求項２記載の本発明は、請求項１に記載のディスクドライブ装置のイジェクト時におけるディスク状記録媒体の脱落防止制御方法において、前記チャッキング解除動作の終了を、前記ディスクトレイの動作開始から前記ディスク状記録媒体が前記凹所の一方に当接するまでの間に行うことを特徴とする。
請求項３記載の本発明は、請求項１に記載のディスクドライブ装置のイジェクト時におけるディスク状記録媒体の脱落防止制御方法において、前記突起が、前記ディスクトレイの前端側に設けた第１の突起と、前記ディスクトレイの後端側に設けた第２の突起とで構成され、前記ディスク状記録媒体が前記凹所の一方に片寄った状態では前記ディスク状記録媒体は前記第１の突起によって前記凹所内に規制され、前記ディスク状記録媒体が前記凹所の他方に片寄った状態では前記ディスク状記録媒体は前記第２の突起によって規制されないことを特徴とする。
【発明の効果】
【０００６】
本発明のディスクドライブ装置によれば、ディスクドライブ装置垂直使用時の安定したディスク排出動作を、より簡素な構造で達成することができる。
【発明を実施するための最良の形態】
【０００７】
本発明の第１の実施の形態によるディスク状記録媒体の脱落防止制御方法は、ディスクドライブ装置本体内のスピンドルモータに対するチャッキング解除動作の終了に先だって、イジェクト動作を開始してディスクトレイを動作させるものである。本実施の形態によれば、チャッキング解除動作終了前にディスクトレイの動作を開始することで、ディスク状記録媒体は凹所の一方（後端）に片寄った状態となる。本実施の形態によれば、ディスク状記録媒体が凹所の一方に片寄った状態ではディスク状記録媒体は凹所内に規制されるように突起が配置されているため、ディスク状記録媒体のディスクトレイからの脱落を防止することができる。
本発明の第２の実施の形態は、第１の実施の形態によるディスク状記録媒体の脱落防止制御方法において、チャッキング解除動作の終了を、ディスクトレイの動作開始からディスク状記録媒体が凹所の一方に当接するまでの間に行うものである。本実施の形態によれば、ディスクトレイの移動によってディスク状記録媒体は凹所の後端側に片寄った状態となるため、ディスク状記録媒体のディスクトレイからの脱落を防止することができる。
本発明の第３の実施の形態は、第１の実施の形態によるディスク状記録媒体の脱落防止制御方法において、突起が、ディスクトレイの前端側に設けた第１の突起と、ディスクトレイの後端側に設けた第２の突起とで構成され、ディスク状記録媒体が凹所の一方に片寄った状態ではディスク状記録媒体は第１の突起及び第１の突起によって凹所内に規制され、ディスク状記録媒体が凹所の他方に片寄った状態ではディスク状記録媒体は第２の突起によって規制されないものである。本実施の形態によれば、第２の突起は、ディスク状記録媒体が凹所の他方に片寄った状態ではディスク状記録媒体を規制しない長さであるため、ディスク状記録媒体のディスクトレイからの装脱着を容易に行うことができる。
【実施例】
【０００８】
以下に、本発明のディスクドライブ装置の一実施例を図面とともに説明する。
図１は本実施例におけるディスクドライブ装置のディスクトレイの概略平面図である。
図１において、ディスクトレイ１０は、ディスクが載置されるほぼ円形状の凹所１１を備えている。このディスクトレイ１０は、ディスク状記録媒体１をディスクドライブ装置本体に対してローディング及びイジェクトする。凹所１１は、ディスク状記録媒体１より大きく形成されている。ディスク状記録媒体１は、ディスクドライブ装置本体内ではディスクトレイ１０の凹所１１のほぼ中央にチャッキングされている。凹所１１の外周には、凹所１１に向かって突出させた複数の突起１２、１３、１４、１５が形成されている。本実施例においては、突起１２、１３、１４、１５をディスクトレイ１０に形成したものを示しているが、ディスクドライブ装置本体内のメインフレーム、又はディスクドライブ装置本体のカバーフレームに形成してもよい。
本発明のディスクドライブ装置においては、突起として、ディスクトレイ１０の前端側に設けた第１の突起１２、１３と、ディスクトレイ１０の後端側に設けた第２の突起１４、１５とを設けている。なお、４つの突起１２、１３、１４、１５は、それぞれ等間隔に設けている。また、第１の突起１２、１３の凹所１１方向への突出長さは、第２の突起１４、１５の凹所１１方向への突出長さよりも長く構成している。第１の突起１２、１３は、ディスク状記録媒体１が凹所１１の一方に片寄った状態ではディスク状記録媒体１を凹所１１内に規制する長さである。一方、第２の突起１４、１５は、ディスク状記録媒体１が凹所１１の他方に片寄った状態ではディスク状記録媒体１を規制しない長さである。
またディスクトレイ１０には、凹所１１の中心からディスクトレイ１０の後端側に至る開口１６が形成されている。この開口１６によって、ディスクドライブ装置本体内において、ディスク状記録媒体１のチャッキングやピックアップによるデータの書き込みや読み取りが行われる。
なお、本実施例のディスクドライブ装置は、ディスク状記録媒体１の記録面が垂直となるようにディスクドライブ装置本体を立てて使用でき、図１はこの状態を示している。また、図示はしないが、本実施例のディスクドライブ装置は、ディスク状記録媒体１を保持するチャック部材、このチャック部材を備えてディスク状記録媒体１を回転させるスピンドルモータ、ディスク状記録媒体１を挟んでスピンドルモータと対向する位置に配置されるクランパ、及びディスクトレイ１０を動作させるローディングモータを有している。
【０００９】
次に、本実施例におけるディスクドライブ装置のイジェクト時の動作について説明する。
図２は本実施例のディスクドライブ装置のイジェクト時における動作を示すフロー、図３は本実施例のディスクドライブ装置のイジェクト動作時におけるディスク状記録媒体の状態を示すディスクトレイの概略平面図である。
イジェクト指示がなされると、まずローディングモータが駆動され、ディスクトレイ１０の動作が開始する（ステップ１）。このステップ１の後に、ディスク状記録媒体１のチャック部材からの解除が終了する（ステップ２）。ステップ２におけるチャッキング解除動作の終了は、ディスク状記録媒体１が凹所１１の一方（後端）に当接する（ステップ３）までに完了する。その後イジェクト動作は継続し、ディスクトレイ１０が所定の位置まで突出してディスクトレイ１０の動作が終了する（ステップ４）。
本実施例では、上記のようにチャッキング解除動作終了前にディスクトレイ１０の動作を開始することで、図３に示すように、ディスク状記録媒体１は凹所１１の後端に当接し、４つの突起１２、１３、１４、１５によって凹所１１内に規制され、確実に脱落を防止することができる。なお、ディスク状記録媒体１がチャッキング解除される少し前に、ディスクトレイ１０を動作させることにより、ディスクトレイ１０の移動によってディスク状記録媒体１は凹所１１の後端側に片寄り、第２の突起１４、１５によって凹所１１内に規制される。従って、ディスク状記録媒体１のディスクトレイ１０からの脱落を確実に防止することができ、ディスク状記録媒体１が傷つけられて使用不能になることを未然に防止することができ、高い安全性を確保できる。
【産業上の利用可能性】
【００１０】
本発明のディスク状記録媒体の脱落防止制御方法は、垂直使用が可能なディスクドライブ装置の他、垂直設置型のディスクドライブ装置にも適用することができる。
【図面の簡単な説明】
【００１１】
【図１】本発明の一実施例におけるディスクドライブ装置のディスクトレイの概略平面図
【図２】本実施例のディスクドライブ装置のイジェクト時における動作を示すフロー
【図３】本実施例のディスクドライブ装置のイジェクト動作時におけるディスク状記録媒体の状態を示すディスクトレイの概略平面図
【符号の説明】
【００１２】
１  ディスク状記録媒体
１０  ディスクトレイ
１１  凹所
１２、１３  第１の突起
１４、１５  第２の突起
【図１】
2007026570.tif 000003
【図２】
2007026570.tif 000004
【図３】
2007026570.tif 000005